(57)【特許請求の範囲】
【請求項１】
記録用紙５を載置するボード１と、記録用紙５の外周縁部の少なくとも三辺を上から押さえる中央に窓２ａを設けた外周枠２と、上記ボード１と外周枠２の突合せ側縁部同士を回動自在に連結し、かつ記録用紙５をボード１上で固定時に該ボード１表面と外周枠２裏面を隙間なく当接するヒンジ部３とを有し、前記ボード１およびまたは外周枠２は該ヒンジ部３と対向する位置でボード１と外周枠２の片側縁部同士を着脱自在に固定または離反し、かつ記録用紙５をボード１上で固定時に該ボード１表面と外周枠２裏面を隙間なく当接する固定部４（４ａと４ｂ）を有し、
上記固定部４ａと４ｂに埋込式のマグネット又は面ファスナーを使用することを特徴とするクリップボード。
【請求項２】
記録用紙５を載置するボード１と、記録用紙５の外周縁部の少なくとも三辺を上から押さえる中央に窓２ａを設けた外周枠２と、上記ボード１と外周枠２の突合せ側縁部同士を回動自在に連結し、かつ記録用紙５をボード１上で固定時に該ボード１表面と外周枠２裏面を当接するヒンジ部３とを有し、
上記記録用紙５の不使用時に上記ボード１と外周枠２を上から押さえて覆い、かつ記録用紙５の使用時にボード１の裏面へ回動して前記記録用紙５と外周枠２の表面が表れるようにする保護カバー６を、ヒンジ部３に回動自在に取付けて形成し、
上記ボード１およびまたは保護カバー６は該ヒンジ部３と対向する位置で上記ボード１と外周枠２と保護カバー６相互の片側縁部同士を着脱自在に固定または離反し、かつ記録用紙５をボード１上で固定時に該ボード１表面と外周枠２裏面を隙間なく当接する固定部４（４ｃ）を有することを特徴とするクリップボード。
【発明の詳細な説明】
【技術分野】
【０００１】
この発明は、記録用紙を固定して記入を容易にするクリップボードに関するものである。
【背景技術】
【０００２】
従来のクリップボードは、ボードと固定クリップ部とからなり、記録用紙の上部または側部１箇所を固定クリップ部で挟んでボードに固定する構造となっている。
【０００３】
先願特許技術として、特許文献１（特開平１１−１５７２６９号公報）「クリップボード」には、ボードに上部紙固定クリップ部と下部紙固定クリップ部を設けた構造が開示されている。
【０００４】
特許文献２（登実−３１９１０６６号公報）「クリップボード」には、ボードの一方に第１の紙固定クリップ部と他方に第２の紙固定クリップ部を備え、少なくともそのいずれかに、ボード側に接着した磁性体と対の紙を上から押さえるマグネットシートを設けた構成が開示されている。
【先行技術文献】
【特許文献】
【０００５】
【特許文献１】特開平１１−１５７２６９号公報
【特許文献２】登実−３１９１０６６号公報
【発明の概要】
【発明が解決しようとする課題】
【０００６】
図５に示す従来のクリップボードは、記録用紙５０の側部または上部を固定クリップ部２０で挟んでボード１０の上に固定するため、固定箇所以外の記録用紙５０の周囲がまくれ上がったり折れたり丸まったりして変形や損傷する可能性があった。殊に屋外で風が強い場合には、挟んだ記録用紙５０がまくれ上がって記録用紙５０への記入が困難な場合があった。
【０００７】
特許文献１「クリップボード」には、ボードに上部固定クリップ部と下部固定クリップ部を設けた構造が開示されているが、上下の固定クリップ部以外の記録用紙の固定が不十分で、風が強い場合に記録用紙がまくれ上がったり折れたり丸まったりして変形や損傷する可能性があった。また、下部紙固定クリップ部が嵩張り、持ち運び等する際に不便を生じていた。
【０００８】
特許文献２「クリップボード」には、ボードの一方に第１の紙固定クリップ部と他方に第２の紙固定クリップ部を備え、少なくともそのいずれかに、ボード側に接着した磁性体と対の紙を上から押さえるマグネットシートを設けた構成が開示されているが、上下の紙固定クリップ部以外の記録用紙の固定が不十分で、風が強い場合に記録用紙がまくれ上がったり折れたり丸まったりして変形や損傷する可能性があった。
【０００９】
このように、従来のクリップボードはいずれも記録用紙の下部のまくれ上がりを防止することを目的とした構造であるが、強風時のまくれ上がりに十分配慮したものではなかった。
【００１０】
この発明は上述のような従来技術が有する問題点に鑑みてなされたもので、その目的とするところは、屋外で強風時に記録を行う際に、記録用紙が風で飛散したり、まくれ上がらないように配慮した記入が容易で使い勝手の良いクリップボードを提供することにある。
【課題を解決するための手段】
【００１１】
請求項１の発明に係るクリップボードは、
記録用紙５を載置するボード１と、記録用紙５の外周縁部の少なくとも三辺を上から押さえる中央に窓２ａを設けた外周枠２と、上記ボード１と外周枠２の突合せ側縁部同士を回動自在に連結し、かつ記録用紙５をボード１上で固定時に該ボード１表面と外周枠２裏面を隙間なく当接するヒンジ部３とを有し、前記ボード１およびまたは外周枠２は該ヒンジ部３と対向する位置でボード１と外周枠２の片側縁部同士を着脱自在に固定または離反し、かつ記録用紙５をボード１上で固定時に該ボード１表面と外周枠２裏面を隙間なく当接する固定部４（４ａと４ｂ）を有し、
上記固定部４ａと４ｂに埋込式のマグネット又は面ファスナーを使用することを特徴とする。

【００１３】
請求項２の発明に係るクリップボードは、
記録用紙５を載置するボード１と、記録用紙５の外周縁部の少なくとも三辺を上から押さえる中央に窓２ａを設けた外周枠２と、上記ボード１と外周枠２の突合せ側縁部同士を回動自在に連結し、かつ記録用紙５をボード１上で固定時に該ボード１表面と外周枠２裏面を当接するヒンジ部３とを有し、
上記記録用紙５の不使用時に上記ボード１と外周枠２を上から押さえて覆い、かつ記録用紙５の使用時にボード１の裏面へ回動して前記記録用紙５と外周枠２の表面が表れるようにする保護カバー６を、ヒンジ部３に回動自在に取付けて形成し、
上記ボード１およびまたは保護カバー６は該ヒンジ部３と対向する位置で上記ボード１と外周枠２と保護カバー６相互の片側縁部同士を着脱自在に固定または離反し、かつ記録用紙５をボード１上で固定時に該ボード１表面と外周枠２裏面を隙間なく当接する固定部４（４ｃ）を有することを特徴とする。
【発明の効果】
【００１４】
請求項１の発明に係るクリップボードは、
記録用紙５を載置するボード１と、記録用紙５の外周縁部の少なくとも三辺を上から押さえる中央に窓２ａを設けた外周枠２と、上記ボード１と外周枠２の突合せ側縁部同士を回動自在に連結し、かつ記録用紙５をボード１上で固定時に該ボード１表面と外周枠２裏面を隙間なく当接するヒンジ部３とを有し、前記ボード１およびまたは外周枠２は該ヒンジ部３と対向する位置でボード１と外周枠２の片側縁部同士を着脱自在に固定または離反し、かつ記録用紙５をボード１上で固定時に該ボード１表面と外周枠２裏面を隙間なく当接する固定部４（４ａと４ｂ）を有し、
上記固定部４ａと４ｂに埋込式のマグネット又は面ファスナーを使用し、
記録用紙５の上下左右の外周縁部の内何れか三辺または四辺全てを外周枠２によって押さえる構造であるため、記録用紙５の外周縁部を確りと押さえて飛散やまくれ上がりを防ぐことが可能である。
ボード１上の記録用紙５を外周枠２で押さえた際に、ボード１表面と外周枠２裏面が当接するヒンジ部３および固定部４を使用することにより、記録用紙５を確実に固定し、クリップボードの持ち運びや使用時に記録用紙５の落下を防止することが可能となる。
上記ヒンジ部３にフラッシュ蝶番等を使用することにより、ボード１上の記録用紙５を外周枠２で押さえる際に、ボード１表面と外周枠２裏面間が隙間なく当接し、記録用紙５をより確実に押さえることが可能となる。 上記固定部４ａと４ｂに埋込式のマグネットや面ファスナー等を使用することにより、外周枠２でボート１を上から押さえた際に、ボート１表面と外周枠２裏面間が隙間なく当接し、記録用紙５を確実に固定することが可能となる。
【００１６】
請求項２の発明に係るクリップボードは、
記録用紙５を載置するボード１と、記録用紙５の外周縁部の少なくとも三辺を上から押さえる中央に窓２ａを設けた外周枠２と、上記ボード１と外周枠２の突合せ側縁部同士を回動自在に連結し、かつ記録用紙５をボード１上で固定時に該ボード１表面と外周枠２裏面を当接するヒンジ部３とを有し、
上記記録用紙５の不使用時に上記ボード１と外周枠２を上から押さえて覆い、かつ記録用紙５の使用時にボード１の裏面へ回動して前記記録用紙５と外周枠２の表面が表れるようにする保護カバー６を、ヒンジ部３に回動自在に取付けて形成し、
上記ボード１およびまたは保護カバー６は該ヒンジ部３と対向する位置で上記ボード１と外周枠２と保護カバー６相互の片側縁部同士を着脱自在に固定または離反し、かつ記録用紙５をボード１上で固定時に該ボード１表面と外周枠２裏面を隙間なく当接する固定部４（４ｃ）を有するので、
保護カバー６を通常はカバーとして使用し、記録用紙５へ記入する際にボード１裏側へ回動することにより、簡便に使用することができる。記録用紙５の使用時は、保護カバー６を裏側へ回動させて固定部４ｃで外周枠２とボード１および保護カバー６相互を固定することにより、記録用紙５を外周枠２で押さえた状態で記録用紙５へ記入することが可能である。また、記入済の記録用紙５をボード１の裏側に挟んで収容することができるため、ボード１使用時の記録用紙５の取替と保管が容易である。  また、この保護カバー６は記録用紙５に記入をしない持運びや保管等の際はボード１と外周枠２を上から押さえてカバーし、固定部４ｃで保護カバー６、外周枠２およびボード１相互をボード１表面側から固定し、ボード１を持ち運びする際や屋外で急な降雨にあった場合に記録用紙５を覆って風雨から保護し、記録用紙５の濡れや損傷を防止することができる。
【図面の簡単な説明】
【００１７】
【図１】本発明に係るクリップボードの第１事例の斜視説明図である。
【図２】本発明に係るクリップボードの第１事例の平面説明図である。
【図３】本発明に係るクリップボードの第２事例の斜視説明図である。
【図４】本発明に係るクリップボードの第３事例の斜視説明図である。
【図５】従来一般のクリップボードの説明図である。
【発明を実施するための形態】
【００１８】
本発明に係るクリップボードの実施形態例について図１から図４を参照しながら説明する。本発明は下記の実施形態にのみ限定されるものではない。本発明の要旨を逸脱しない範囲で下記の実施形態に変更（例えば構成要素の省略または付加、構成要素の形状の変更等）を加えることが出来るのはもちろんである。なお、図は概略を示すもので、一部のみを描き詳細構造は省略した。
【００１９】
図１はクリップボードの第１事例の斜視説明図である。
クリップボードは、記録用紙５を載置する厚紙やプラスチックなどから形成する平板状のボード１と、記録用紙５の外周縁部を押さえるように中央に窓２ａを設けた外周枠２を用いて、このボード１と外周枠２の突合せ側縁部同士を回動自在にヒンジ部３で連結する構造とする。
また、ボード１およびまたは外周枠２にヒンジ部３と対向する位置に、ボード１と外周枠２の片側縁部同士を着脱自在に固定または離反する固定部４を設けて開閉構造に形成する。
外周枠２は、透明な塩化ビニール板、ポリカーボネート板、アクリル板等のプラスチック板で形成することが好ましい。透明なプラスチック板で形成することにより、ボード１上の記録用紙５を外周枠２で固定した状態で、記録用紙５の外周縁部の記載内容を確認することが可能となる。さらに、安価で薄く、軽量なプラスチック板で形成することにより、製作費をコストダウンでき、記録用紙５を固定した際に嵩張らないため使い勝手が良い。但し、記録用紙５の外周縁部の記載内容を確認する必要がなければ、外周枠２をステンレス等の金属板や透明でないプラスチック板等で形成しても良い。
上記ヒンジ部３には抜き蝶番の一種であるフラッシュ蝶番を使用することが好ましい。フラッシュ蝶番を使用することにより、ボード１上の記録用紙５を外周枠２で押さえる際に、ボード１表面と外周枠２裏面間が隙間なく当接し、記録用紙５をより確実に押さえることが可能となる。但し、機能上問題がなければ、ヒンジ部３はフラッシュ蝶番に限定せず、種々の材料で形成することが可能である。
上記固定部４にはフックやクリップ等を使用し、固定部４でボード１と外周枠２相互を固定する際に、ボード１表面と外周枠２裏面間が隙間なく当接する形状とするのが好ましい。但し、機能上問題がなければ、固定部４に種々な材料を使用することが可能である。
【００２０】
図２は、図１に示す第１事例のクリップボードの使用状況を示す。
左側はクリップボードを開いた平面図で、ボード１の上に記録用紙５を載せて、その上から外周枠２を被せる。続いて、右側の平面図のように記録用紙５を外周枠２で固定した状態で、記録用紙５に記入をする。
【００２１】
図１および図２のように、記録用紙５の上下左右の四辺が外周枠２によって押さえられるので、記録用紙５を上下左右の何れか一辺または二辺で押さえる従来構造のクリップボードと比較してより強固に記録用紙５を押さえることが可能となり、強風時にボード１上の記録用紙５が飛散したり、記録用紙５の左右両側部のまくれ上がり等を防止することが可能である。
また、固定部４の数を増やすことにより、より強固に記録用紙５を固定することが可能となる。
【００２２】
図１および図２の事例では、記録用紙５の外周縁部を上下左右の四辺を有す外周枠２で固定しているが、外周枠２は図１および図２の形状に限定せず、機能上問題がなければ左右下部等の三辺で形成しても良い。
また、図１および図２の事例では固定部４を外周枠２に設けているが、固定部４の設置箇所は図１および図２の箇所に限定せず、固定部４をボード１あるいはボード１と外周枠２の双方に設けても良い。
【００２３】
図３はクリップボードの第２事例の斜視説明図であり、このクリップボードは、記録用紙５を載置する平板状のボード１と、記録用紙５の一辺を挟む該ボード１基部の固定クリップ部１ａを有する。
上記クリップボードは、固定クリップ部１ａを除く記録用紙５の外周縁部を上から押さえ、かつ中央に窓２ａと固定クリップ部１ａと重なる部分を切り欠いて設けた窓２ｂとを有す外周枠２と、固定クリップ部１ａの両側部に、この外周枠２とボード１の突合せ側縁部同士を回動自在に連結するヒンジ部３とを有する。
ボード１と外周枠２には、ヒンジ部３と対向する位置の外周枠２の片側縁部とボード１の片側縁部同士を着脱自在に固定または離反する固定部４ａと４ｂをそれぞれ設ける。
上記固定部４ａと４ｂにはマグネットや面ファスナーを使用し、埋め込みや接着でボード１または外周枠２に取付けることが好ましい。埋込式のマグネットや面ファスナーを使用することにより、外周枠２でボート１を上から押さえた際に、ボート１表面と外周枠２裏面間が隙間なく当接し、記録用紙５を確実に固定することが可能となる。但し、機能上問題がなければ、固定部４ａと４ｂはマグネットや面ファスナーに限定せず、種々の材料で形成することが可能である。
このクリップボードは、新規に製作することはもちろん、側部または上部１箇所に固定クリップ部１ａを有す従来構造のクリップボードに、外周枠２をヒンジ部３で取付けることによって製作することも可能である。
【００２４】
図３の事例では、ボード１に固定部４ａ、外周枠２に固定部４ｂをそれぞれ設けているが、固定部４ａ、４ｂの設置箇所は図３の箇所に限定せず、第１事例と同様、固定部４をボード１または外周枠２の何れか一方に設けても良い。
【００２５】
図４はクリップボードの第３事例の斜視説明図であり、このクリップボードは、ボード１と外周枠２の上部を覆う保護カバー６をヒンジ部３に回動自在に取付けた事例である。
この保護カバー６は記録用紙５に記入をしない持運びや保管等の際はボード１と外周枠２を上から押さえてカバーし、保護カバー６の片側縁部に設けた固定部４ｃで保護カバー６、外周枠２およびボード１相互をボード１表面側から固定する。
また、記録用紙５へ記入する際には記録用紙５と外周枠２の表面が表れるように保護カバー６をボード１の裏面に回動し、固定部４ｃで外周枠２とボード１および保護カバー６相互をボード１裏面側から固定する。
この保護カバー６は、記録用紙５を確り押さえ、風雨から記録用紙５を保護することが可能なプラスチックやステンレス等の材料で形成する。
図４の事例では、保護カバー６に固定部４ｃを設けているが、固定部４ｃの設置箇所は図４の箇所に限定せず、固定部４ｃをボード１あるいはボード１と保護カバー６の双方に設けても良い。
また、保護カバー６を取り付けるボード１が固定クリップ部１ａを有す場合は、図３の外周枠２と同様に、保護カバー６の固定クリップ部１ａと重なる部分を切り欠き、窓（図示せず）を設ける。
【００２６】
このように、保護カバー６は通常はカバーとして使用し、記録用紙５へ記入する際にボード１裏側へ回動することにより、簡便に使用することができる。
記録用紙５の使用時は、保護カバー６を裏側へ回動させて固定部４ｃで外周枠２とボード１および保護カバー６相互を固定することにより、記録用紙５を外周枠２で押さえた状態で記録用紙５へ記入することが可能である。
また、記録用紙５の表面を保護カバー６で覆うことにより、クリップボードを屋外に置く際や持ち運ぶ際に記録用紙５を風雨から保護して記録用紙５の濡れや損傷を防止することが可能である。
さらに、保護カバー６を裏側へ回動させて記入済みの記録用紙５を挟み込んで一時的に収容することができるため、クリップボード使用時の記録用紙５の取替と保管が容易である。
【００２７】
上記のクリップボードの第１事例から第３事例に示すように、ヒンジ部３は、ヒンジ結合、クリップ結合、テープ結合などで回動自在な構造とする。また、固定部４（４ａ,４ｂ,４ｃ）は、フック、マグネット、面ファスナー等を用いて記録用紙５を着脱可能で開閉自在な構造とする。
【産業上の利用可能性】
【００２８】
上記クリップボードは、新規製作品のみならず、従来のクリップボードの汎用品などへ必要な部材を取付けることにより製作することが可能である。
【符号の説明】
【００２９】
１ボード    
１ａ固定クリップ部    
２外周枠    
２ａ窓    
２ｂ窓    
３ヒンジ部    
４固定部    
４ａ固定部    
４ｂ固定部    
４ｃ固定部    
５記録用紙    
６保護カバー    
１０ボード    
２０固定クリップ部    
５０記録用紙    
【図１】
0006569932.tif 000002
【図２】
0006569932.tif 000003
【図３】
0006569932.tif 000004
【図４】
0006569932.tif 000005
【図５】
0006569932.tif 000006